(57)【要約】【課題】  部品点数の少ない簡素な構成で、テンプルをヨロイに対して普通に開いた状態から更に外方へ押し広げる際に弾性力が作用し得る丁番構造を提供する。【解決手段】  丁番構造１は、一端部がヨロイEに取り付けられる第１部材１１と、第１部材の他端部に嵌通された軸部材１２と、一端部に軸部材が嵌通されることによって第１部材に対して回動自在に取り付けられ、他端部がテンプルTに取り付けられる第２部材１３とを備える。第２部材は、当該第２部材の前記他端部から前記一端部に向けて延びる基部１３１と、一端が基部に接続される一方、他端が第２部材の回動方向に平行な面に対して垂直方向に開先され、前記一端から前記他端に向けて前記第２部材の回動方向に平行な面に沿って巻回された巻回部１３２と、巻回部の他端に接続され、基部を第２部材の回動方向に平行な面に対して垂直方向に挟持する挟持部１３３とを具備する。【選択図】    図２
0003103511.tif 000002
【実用新案登録請求の範囲】
【請求項１】
眼鏡を構成するヨロイとテンプルとの間に介設され、前記テンプルを前記ヨロイに対して回動自在に連結するための丁番構造であって、
一端部が前記ヨロイに取り付けられる第１部材と、
前記第１部材の他端部に嵌通された軸部材と、
一端部に前記軸部材が嵌通されることによって前記第１部材に対して回動自在に取り付けられ、他端部が前記テンプルに取り付けられる第２部材とを備え、
前記第２部材は、
当該第２部材の前記他端部から前記一端部に向けて延びる基部と、
一端が前記基部に接続される一方、他端が前記第２部材の回動方向に平行な面に対して垂直方向に開先され、前記一端から前記他端に向けて前記第２部材の回動方向に平行な面に沿って巻回された巻回部と、
前記巻回部の他端に接続され、前記基部を前記第２部材の回動方向に平行な面に対して垂直方向に挟持する挟持部と、
を具備することを特徴とする眼鏡用丁番構造。
【請求項２】
眼鏡を構成するヨロイとテンプルとの間に介設され、前記テンプルを前記ヨロイに対して回動自在に連結するための丁番構造であって、
一端部が前記テンプルに取り付けられる第１部材と、
前記第１部材の他端部に嵌通された軸部材と、
一端部に前記軸部材が嵌通されることによって前記第１部材に対して回動自在に取り付けられ、他端部が前記ヨロイに取り付けられる第２部材とを備え、
前記第２部材は、
当該第２部材の前記他端部から前記一端部に向けて延びる基部と、
一端が前記基部に接続される一方、他端が前記第２部材の回動方向に平行な面に対して垂直方向に開先され、前記一端から前記他端に向けて前記第２部材の回動方向に平行な面に沿って巻回された巻回部と、
前記巻回部の他端に接続され、前記基部を前記第２部材の回動方向に平行な面に対して垂直方向に挟持する挟持部と、
を具備することを特徴とする眼鏡用丁番構造。
【請求項３】
前記基部、巻回部及び挟持部は、前記第２部材の回動方向に平行な面に対して垂直方向に並設された一対の細長部材によって形成されていることを特徴とする請求項１又は２に記載の眼鏡用丁番構造。
【請求項４】
請求項１から３のいずれかに記載の丁番構造を備えることを特徴とする眼鏡。
【請求項５】
請求項１に記載の丁番構造を備え、前記第２部材の基部によってテンプルが形成されていることを特徴とする眼鏡。
【請求項６】
請求項２に記載の丁番構造を備え、前記第１部材によってテンプルが形成されていることを特徴とする眼鏡
【考案の詳細な説明】
【技術分野】
【０００１】
本考案は、眼鏡を構成するヨロイとテンプルとの間に介設され、前記テンプルを前記ヨロイに対して回動自在に連結するための丁番構造及びこの丁番構造を備えた眼鏡に関する。
【背景技術】
【０００２】
従来より、眼鏡のテンプルをヨロイに対して回動自在に連結するための丁番構造として、種々のものが提案されている。
【０００３】
その内、いわゆるバネ丁番と称される丁番構造は、眼鏡のテンプルとヨロイとをヒンジ連結する丁番にバネ機構（コイルバネ、板バネ等）を組み込んだものである。斯かるバネ丁番を用いれば、テンプルを普通に開いた状態からバネ機構による弾性力に抗して更に外方へ無理なく押し広げた後に眼鏡を装着することができる一方、装着後には前記弾性力によってテンプルが側頭部を適度に締め付けるため、確実な眼鏡装着が可能になるという利点を有する。
【０００４】
しかしながら、以上のようなバネ丁番と称される丁番構造の多くは、バネ機構が丁番（コマ部品）に内蔵されたものであるため、どうしても構成が複雑化し、組み立て作業やメンテナンスに手間を要するという問題があった。
【０００５】
そこで、斯かる問題を解決するべく、バネ機構が丁番（コマ部品）の外部に設けられたバネ丁番が提案されている（例えば、特許文献１参照）。より具体的に説明すれば、特許文献１に開示されたバネ丁番は、テンプルの基端側に円筒状のスライダーとコイルバネとが各々進退可能に被嵌されており、テンプルの所定位置に形成した雄ねじ部分に、内周に雌ねじを有する円筒状のストッパーが螺着されている。そして、前記ストッパーによりコイルバネの一端を支えるようにしながらコイルバネを圧縮させ、この圧縮状態のコイルバネの弾性付勢力を利用することによって、ヨロイの端部に取り付けられたコマ部品の先端部に形成されたカム面に対し、前記スライダーを付勢状態で接触させる構成とされている。斯かる構成により、スライダーとコマ部品のカム面とが協働し、ヨロイに対してテンプルを所要の開閉位置で弾性的に保持可能とされている。
【０００６】
斯かる構成を有するバネ丁番によれば、バネ機構（コイルバネ）がコマ部品の外部に取り付けられているため、コマ部品の内部にバネ機構を取り付ける場合に比べれば構成が簡素化されるという利点を有する。しかしながら、コマ部品の先端部にカム面を形成する必要がある他、必要な部品点数も多いため、やはり組み立て作業やメンテナンスに手間を要するという課題は十分に解決されないという問題がある。
【特許文献１】実用新案登録第３０２２９４４号公報
【考案の開示】
【考案が解決しようとする課題】
【０００７】
本考案は、斯かる従来技術の問題点を解決するべくなされたものであり、部品点数の少ない簡素な構成で、テンプルをヨロイに対して普通に開いた状態から更に外方へ押し広げる際に弾性力が作用し得る丁番構造及びこの丁番構造を備えた眼鏡を提供することを課題とする。
【課題を解決するための手段】
【０００８】
前記課題を解決するべく、本考案は、眼鏡を構成するヨロイとテンプルとの間に介設され、前記テンプルを前記ヨロイに対して回動自在に連結するための丁番構造であって、一端部が前記ヨロイに取り付けられる第１部材と、前記第１部材の他端部に嵌通された軸部材と、一端部に前記軸部材が嵌通されることによって前記第１部材に対して回動自在に取り付けられ、他端部が前記テンプルに取り付けられる第２部材とを備え、前記第２部材は、当該第２部材の前記他端部から前記一端部に向けて延びる基部と、一端が前記基部に接続される一方、他端が前記第２部材の回動方向に平行な面に対して垂直方向に開先され、前記一端から前記他端に向けて前記第２部材の回動方向に平行な面に沿って巻回された巻回部と、前記巻回部の他端に接続され、前記基部を前記第２部材の回動方向に平行な面に対して垂直方向に挟持する挟持部と、を具備することを特徴とする眼鏡用丁番構造を提供するものである。
【０００９】
本考案に係る丁番構造によれば、ヨロイに取り付けられる第１部材と、前記第１部材の他端部に嵌通された軸部材と、一端部に前記軸部材が嵌通されることによって前記第１部材に対して回動自在に取り付けられ、他端部が前記テンプルに取り付けられる第２部材とを備えるため、斯かる丁番構造を眼鏡に用いれば、第２部材を軸部材を中心として回動させることにより、テンプルをヨロイに対して回動させることが可能である。ここで、第２部材は、当該第２部材の他端部から一端部に向けて延びる基部と、一端が基部に接続される一方、他端が第２部材の回動方向に平行な面に対して垂直方向に開先され、一端から他端に向けて第２部材の回動方向に平行な面に沿って巻回された巻回部とを具備している。従って、テンプルを普通に開いた状態から更に外方へ押し広げようとした場合、基部に対して外方に向けた力が加わり、これにより基部に接続された巻回部の径が大きくなる（或いは小さくなる）ように変形するため、弾性復元力（弾性力）が作用することになる。
【００１０】
以上のように、本考案によれば、部品点数の少ない簡素な構成（第１部材、軸部材及び第２部材で構成される）で、テンプルをヨロイに対して普通に開いた状態から更に外方へ押し広げる際に弾性力が作用し得る丁番構造が得られる。このため、巻回部による弾性力に抗して外方へ無理なく押し広げた後に眼鏡を装着することができる一方、装着後には前記弾性力によってテンプルが側頭部を適度に締め付けるため、確実な眼鏡装着が可能になるという利点を有する。
【００１１】
また、第２部材は、巻回部の開先された他端に接続され、基部を第２部材の回動方向に平行な面に対して垂直方向に挟持する挟持部を具備するため、テンプルひいては基部に対して上下方向（本考案に係る丁番構造を用いた眼鏡を装着した状態での上下方向）の力が加わった際に、基部の弾性変形が挟持部で抑止され、ひいてはテンプルの不要な上下移動が抑止されるという利点も有する。なお、第２部材の基部を耳の裏側に適合する形状に形成し、そのまま眼鏡のテンプルとして利用することも可能である。
【００１２】
以上に説明した構成は、第１部材をヨロイに取り付け、弾性力を作用させるための第２部材をテンプルに取り付ける構成であるが、前記課題を解決するべく、取付箇所を逆にした構成を採用することも可能である。
【００１３】
すなわち、本考案は、眼鏡を構成するヨロイとテンプルとの間に介設され、前記テンプルを前記ヨロイに対して回動自在に連結するための丁番構造であって、一端部が前記テンプルに取り付けられる第１部材と、前記第１部材の他端部に嵌通された軸部材と、一端部に前記軸部材が嵌通されることによって前記第１部材に対して回動自在に取り付けられ、他端部が前記ヨロイに取り付けられる第２部材とを備え、前記第２部材は、当該第２部材の前記他端部から前記一端部に向けて延びる基部と、一端が前記基部に接続される一方、他端が前記第２部材の回動方向に平行な面に対して垂直方向に開先され、前記一端から前記他端に向けて前記第２部材の回動方向に平行な面に沿って巻回された巻回部と、前記巻回部の他端に接続され、前記基部を前記第２部材の回動方向に平行な面に対して垂直方向に挟持する挟持部と、を具備することを特徴とする眼鏡用丁番構造としても提供され、前述した構成と同様の作用効果を奏することが可能である。なお、斯かる構成の場合には、第１部材を耳の裏側に適合する形状に形成し、そのまま眼鏡のテンプルとして利用することも可能である。
【００１４】
好ましくは、前記基部、巻回部及び挟持部は、前記第２部材の回動方向に平行な面に対して垂直方向に並設された一対の細長部材によって形成される。
【００１５】
斯かる構成によれば、一対の細長部材によって基部、巻回部及び挟持部が形成されるため、極めて簡素な構成とすることができる。より具体的には、第２部材の回動方向に平行な面に対して垂直方向に一対の細長部材を並設し、これらの一方の端部同士をロウ付け等によって接合することによって基部を構成し、他方の端部に向けて第２部材の回動方向に平行な面に沿って巻回することによって巻回部を構成し、基部を挟むこむように他方の端部同士を互いに離間して挟持部を構成することが可能である。
【００１６】
なお、本考案は、前記丁番構造を備える眼鏡としても提供される。
【考案の効果】
【００１７】
本考案に係る丁番構造によれば、ヨロイに取り付けられる第１部材と、前記第１部材の他端部に嵌通された軸部材と、一端部に前記軸部材が嵌通されることによって前記第１部材に対して回動自在に取り付けられ、他端部が前記テンプルに取り付けられる第２部材とを備えるため、斯かる丁番構造を眼鏡に用いれば、第２部材を軸部材を中心として回動させることにより、テンプルをヨロイに対して回動させることが可能である。ここで、第２部材は、当該第２部材の他端部から一端部に向けて延びる基部と、一端が基部に接続される一方、他端が第２部材の回動方向に平行な面に対して垂直方向に開先され、一端から他端に向けて第２部材の回動方向に平行な面に沿って巻回された巻回部とを具備している。従って、テンプルを普通に開いた状態から更に外方へ押し広げようとした場合、基部に対して外方に向けた力が加わり、これにより基部に接続された巻回部の径が大きくなる（或いは小さくなる）ように変形するため、弾性復元力（弾性力）が作用することになる。以上のように、本考案によれば、部品点数の少ない簡素な構成（第１部材、軸部材及び第２部材で構成される）で、テンプルをヨロイに対して普通に開いた状態から更に外方へ押し広げる際に弾性力が作用し得る丁番構造が得られる。このため、巻回部による弾性力に抗して外方へ無理なく押し広げた後に眼鏡を装着することができる一方、装着後には前記弾性力によってテンプルが側頭部を適度に締め付けるため、確実な眼鏡装着が可能になるという利点を有する。また、第２部材は、巻回部の開先された他端に接続され、基部を第２部材の回動方向に平行な面に対して垂直方向に挟持する挟持部を具備するため、テンプルひいては基部に対して上下方向（本考案に係る丁番構造を用いた眼鏡を装着した状態での上下方向）の力が加わった際に、基部の弾性変形が挟持部で抑止され、ひいてはテンプルの不要な上下移動が抑止されるという利点も有する。
【考案を実施するための最良の形態】
【００１８】
以下、添付図面を参照しつつ、本考案の実施形態について説明する。
【００１９】
図１は、本考案の一実施形態に係る丁番構造を眼鏡に取り付けた状態を示す側面図である。また、図２は、図１に示す丁番構造の近傍を拡大して示す上面図である。図１又は図２に示すように、本実施形態に係る丁番構造１は、眼鏡Ｇを構成するヨロイＥとテンプルＴとの間に介設され、第１部材１１と、軸部材１２と、第２部材１３とを備えており、テンプルＴをヨロイＥに対して回動自在に連結するように構成されている。
【００２０】
第１部材１１は、例えば、チタン、モネル等の金属材料から形成され、一端部がロウ付けや接着剤等によってヨロイＥに取り付けられている。また、第１部材１１の他端部には、軸部材１２を嵌通させるための孔（図示せず）が設けられている。
【００２１】
本実施形態に係る軸部材１２は、適宜の箇所に雄ねじが形成されたネジ部材とされている。軸部材１２は、第２部材１３の一端部（コマ部材１３５）に設けられ適宜の箇所に雌ねじが形成された孔１３５ａと、前述した第１部材１１の他端部に設けられた孔とにそれぞれ嵌通され、孔１３５ａに形成された雌ねじと螺合しており、これにより、第１部材１１と第２部材１３とを連結している。
【００２２】
第２部材１３は、前述したように一端部に軸部材１２が嵌通され、軸部材１２を中心として図２の矢符で示す方向に回動自在となっている一方、他端部（基部１３１）はテンプルＴに取り付けられている。
【００２３】
より具体的に説明すれば、第２部材１３は、基部１３１と巻回部１３２と挟持部１３３とを具備している。特に本実施形態に係る基部１３１、巻回部１３２及び挟持部１３３は、第２部材１３の回動方向に平行な面（図２の紙面に平行な面）に対して垂直方向に並設された一対の細長部材（図１においてハッチを施した部材）Aによって形成されている。細長部材Ａは、例えば、チタン、モネル等の金属材料から形成されている。また、本実施形態に係る第２部材１３は、板状部材１３４と、コマ部材１３５とを更に具備している。
【００２４】
基部１３１は、第２部材１３の他端部（図２の紙面下方）から一端部（図２の紙面上方）に向けて延びている部分であり、本実施形態では、一対の細長部材Ａの端部同士をロウ付けや接着剤等によって互いに接合することにより構成されている。基部１３１の一部はテンプルT内に嵌入（本実施形態に係るテンプルＴは透明な材料から形成されているため、嵌入された部分を外部から視認可能である）されており、これにより第２部材１３はテンプルＴに取り付けられている。
【００２５】
巻回部１３２は、一端が基部１３１に接続される一方、他端が第２部材１３の回動方向に平行な面に対して垂直方向に開先され、前記一端から前記他端に向けて第２部材１３の回動方向に平行な面に沿って略一回転だけ巻回された部分である。特に本実施形態に係る巻回部１３２は、一対の細長部材Ａの基部１３１を構成する部分に連続する部分を眼鏡Ｇの内方に向けて、且つ、各細長部材Ａの離間距離が徐々に増すように巻回することによって構成されている。
【００２６】
挟持部１３３は、巻回部１３２の他端に接続され、基部１３１を第２部材１３の回動方向に平行な面に対して垂直方向に挟持する部分であり、本実施形態では、一対の細長部材Ａの巻回部１３２を構成する部分に連続する部分を基部１３１の略厚み分だけ離間し、基部１３１を挟み込むことによって構成されている。また、特に本実施形態に係る挟持部１３３は、眼鏡Ｇに丁番構造１を取り付けテンプルＴを普通に開いた状態（図２に示す状態）において、その一端がヨロイＥに当接する長さとされており、これにより、テンプルＴの回動抑制機能をも奏する。
【００２７】
板状部材１３４は、例えば、チタン、モネル等の金属材料から形成され、ロウ付けや接着剤等によって挟持部１３３に取り付けられており、本実施形態では、眼鏡Ｇに丁番構造１を取り付けた状態において挟持部１３３の外方に位置する。ただし、板状部材１３４を挟持部１３３間に嵌め込む構成を採用することも可能である。
【００２８】
コマ部材１３５は、例えば、チタン合金や形状記憶合金等の弾性部材から形成され、ロウ付けや接着剤等によって板状部材１３４に取り付けられており、眼鏡Ｇに丁番構造１を取り付けた状態において挟持部１３３の内方に位置する。また、前述のように、コマ部材１３５には適宜の箇所に雌ねじが形成された孔１３５ａが設けられており、当該孔１３５ａに軸部材１２が嵌通され螺合されることにより、コマ部材１３５は第１部材１１に対して回動可能に連結されている。
【００２９】
図３は、以上に説明した構成を有する丁番構造１の動作を説明するための説明図であり、それぞれ（ａ）はテンプルＴを外方に開いている途中の状態を、（ｂ）はテンプルを普通に開いた状態を、（ｃ）はテンプルを普通に開いた状態から更に外方へ開いた状態を示す。テンプルＴを把持して図３（ａ）に示す状態からさらに外方に開くと、挟持部１３３の一端がヨロイＥに当接して回動が抑制され、図３（ｂ）に示す普通に開いた状態（安定した状態）に遷移する。次に、眼鏡を装着するに際し、テンプルＴを普通に開いた状態から更に外方へ押し広げようとした場合、図３（ｃ）に示すように、基部１３１に対して外方に向けた力が加わり、これにより基部１３１に接続された巻回部１３２の径が大きくなるように変形するため、矢符に示す方向の弾性復元力（弾性力）が作用することになる。
【００３０】
以上に説明したように、本実施形態に係る丁番構造１によれば、部品点数の少ない簡素な構成（第１部材１１、軸部材１２及び第２部材１３で構成される）で、テンプルＴをヨロイＥに対して普通に開いた状態から更に外方へ押し広げる際に弾性力を作用させることが可能である。このため、巻回部１３２による弾性力に抗して外方へ無理なく押し広げた後に眼鏡を装着することができる一方、装着後には前記弾性力によってテンプルＴが側頭部を適度に締め付けるため、確実な眼鏡装着が可能になるという利点を有する。
【００３１】
また、第２部材１３は、巻回部１３２の開先された他端に接続され、基部１３１を第２部材１３の回動方向に平行な面に対して垂直方向に挟持する挟持部１３３を具備するため、テンプルＴひいては基部１３１に対して上下方向（図１に示す紙面の上下方向）の力が加わった際に、基部１３１の弾性変形が挟持部１３３で抑止され、ひいてはテンプルＴの不要な上下移動が抑止されるという利点も有する。
【００３２】
なお、本実施形態では、第２部材１３の他端部（基部１３１）とテンプルＴとを別体とする構成について説明したが、本考案はこれに限るものではなく、第２部材の基部１３１を耳の裏側に適合する形状に形成し、そのまま眼鏡のテンプルとする構成を採用することも可能である。
【００３３】
また、本実施形態では、基部１３１、巻回部１３２及び挟持部１３３を、第２部材１３の回動方向に平行な面に対して垂直方向に並設された一対の細長部材Aによって形成する構成について説明したが、本考案はこれに限るものではなく、長手方向の所定箇所に開先を有するように加工した単一の細長部材を用いて形成することも可能である。また、基部１３１、巻回部１３２及び挟持部１３３をそれぞれ別体で形成し、ロウ付けや接着剤等によって互いに接合する構成を採用することも可能である。
【００３４】
また、本実施形態では、巻回部１３２を眼鏡Ｇの内方に向けて形成する形態について説明したが、本考案はこれに限るものではなく、眼鏡Gの外方に向けて形成することも可能である。この場合、テンプルＴを普通に開いた状態から更に外方へ押し広げようとした場合、巻回部の径が小さくなるように変形して弾性復元力（弾性力）が作用することになる。
【００３５】
また、本実施形態では、挟持部１３３がテンプルTを普通に開いた状態に保持（テンプルTに対して更に外方への力を付与しない限り保持）するための回動抑制機能を奏する構成について説明したが、本考案はこれに限るものではなく、軸部材１２等に所定の係止手段を付設し、当該係止手段によってテンプルTが普通に開いた状態に保持される構成を採用することも可能である。
【００３６】
さらに、本実施形態では、第１部材１１をヨロイEに取り付け、弾性力を作用させるための第２部材１３をテンプルTに取り付ける構成について説明したが、本考案はこれに限るものではなく、図４に示すように、取付箇所を逆にした丁番構造１’とすることも可能である。なお、図４において、前述した実施形態と同様の構成には同じ符号を付しており、その詳細な説明は省略する。ただし、図４に示す丁番構造１’の場合、第２部材１３の挟持部１３３はテンプルTの回動抑制機能を奏さないため、例えば軸部材１２等に所定の係止手段を付設し、これによりテンプルTを普通に開いた状態に保持することが必要である。また、第１部材１１を耳の裏側に適合する形状に形成し、そのまま眼鏡のテンプルとして利用することも可能である。
【図面の簡単な説明】
【００３７】
【図１】図１は、本考案の一実施形態に係る丁番構造を眼鏡に取り付けた状態を示す側面図である。
【図２】図２は、図１に示す丁番構造の近傍を拡大して示す上面図である。
【図３】図３は、図２に示す丁番構造の動作を説明するための説明図である。
【図４】図４は、本考案の他の実施形態に係る丁番構造の近傍を拡大して示す上面図である。
【符号の説明】
【００３８】
１・・・丁番構造
１１・・・第１部材
１２・・・軸部材
１３・・・第２部材
１３１・・・基部
１３２・・・巻回部
１３３・・・挟持部
E・・・ヨロイ
T・・・テンプル
G・・・眼鏡
【図１】
0003103511.tif 000003
【図２】
0003103511.tif 000004
【図３】
0003103511.tif 000005
【図４】
0003103511.tif 000006